(57)【特許請求の範囲】
【請求項１】
ＬＮＧを積載して輸送する輸送手段とＬＮＧを貯蔵する貯蔵タンクとを接続し、前記輸送手段から前記貯蔵タンクへＬＮＧを供給する配管設備であって、
前記輸送手段から前記貯蔵タンクへＬＮＧを供給する受入配管と、
前記受入配管から分岐し前記貯蔵タンクへ接続される液抜き配管と、
前記液抜き配管に連通して設けられ、前記受入配管から前記貯蔵タンクへＬＮＧを送液するポンプと、を備え、
前記液抜き配管は、前記受入配管と接続する第１液抜き配管と、
前記第１液抜き配管よりも細い内径を有し前記第１液抜き配管と連通する第２液抜き配管と、を有することを特徴とする配管設備。
【請求項２】
前記受入配管および前記第１液抜き配管におけるＬＮＧの液位を計測する液面計を有することを特徴とする請求項１に記載の配管設備。
【請求項３】
前記ポンプの駆動を制御する制御装置を有し、
前記制御装置は、前記液面計の計測結果に基づいて、ＬＮＧの液面が前記第１液抜き配管内に位置したときに、前記ポンプの運転を停止させることを特徴とする請求項２に記載の配管設備。
【請求項４】
前記貯蔵タンクから前記受入配管内へＬＮＧを供給する供給配管を有することを特徴とする請求項１から３のいずれか１項に記載の配管設備。
【請求項５】
前記供給配管は前記液抜き配管と接続し、前記供給配管と前記液抜き配管とが一部を共有していることを特徴とする請求項４に記載の配管設備。
【請求項６】
前記受入配管は、水平方向に延在しＬＮＧを送液する主管を有し、
前記供給配管は、前記主管の延在方向の中央部に接続されていることを特徴とする請求項４または５に記載の配管設備。
【請求項７】
前記貯蔵タンクは、出荷するＬＮＧを払い出す払出配管を有し、
前記供給配管は前記払出配管から分岐し、前記払出配管と前記供給配管とが一部を共有していることを特徴とする請求項４から６のいずれか１項に記載の配管設備。
【発明の詳細な説明】
【技術分野】
【０００１】
本発明は、ＬＮＧ基地において、ＬＮＧ船からＬＮＧを受け入れる時に用いる配管設備に関するものである。
【背景技術】
【０００２】
従来、火力発電所等の燃料として、天然ガス等の化石燃料を用いることが知られている。天然ガスは、冷却することで低温（約−１６０℃）の液化天然ガス（ＬＮＧ）となり、専用のＬＮＧ船によってＬＮＧ基地に海上輸送され貯蔵タンクに貯蔵される。
【０００３】
このＬＮＧ船から貯蔵タンクへのＬＮＧ受け入れは、全長が１０００ｍにも及ぶ受入配管を用いて行われている。通常、このような受入配管では、ＬＮＧ船からのＬＮＧ受入れが終了した後も、配管内にＬＮＧを常時満たした状態を保ち、配管を冷却し続けるようにしている。これは、受入れが終了した後に配管内を空にすると、受入配管の温度が高くなり、次回の受け入れ時に長時間をかけて受入配管を冷却しなければならなくなるためである。長距離の受入配管を約−１６０℃まで冷却するには、数日間の作業時間を要するため、受入配管にＬＮＧを満たしたまま冷却を続けた方が、全体として作業効率が良いと考えられている。
【０００４】
配管の冷却方式としては、配管内に充填された低温のＬＮＧによる冷却（自然冷却方式）が知られている。しかし、この自然冷却方式は維持コストが安価である一方で種々の課題を有している。
【０００５】
例えば、自然冷却方式を採用する配管内では、外部からの侵入熱を蓄熱して沸騰したＬＮＧから気泡を生じ、この気泡が配管の立ち上がり部分においてＬＮＧを押し上げ、配管を激しく振動させながら液面からＬＮＧとともに吹き出すガイザリングと呼ばれる現象を生じることがある。この現象は、配管の疲労や破損の原因となるため、安全面に問題が生じるおそれがある。
【０００６】
また、沸騰時にはメタンやエタンなどの低沸点成分が先に蒸発するため、沸点の高い重質分（プロパン／ブタン／ペンタン）等が蓄積し、配管内のＬＮＧが重質分を多く含むものへと組成変化する重質化と呼ばれる現象を生じる。そのため、品質管理上で問題が生じるおそれがある。
【０００７】
そこで、自然冷却方式に変わる配管の冷却方式として、加圧注入冷却、強制循環冷却などが提案されている。
【０００８】
加圧注入冷却方式は、受入配管の途中に立上がり管部と、立上がり管部に連通し内部にＬＮＧの液面を形成させる水平管部と、を設け、立上がり管部内のＬＮＧにより液ヘッドをかけておくことにより、受入配管内のＬＮＧに所定の圧力をかけておくようにする方式である（例えば、特許文献１参照）。この方式では、自然冷却方式と同様に配管内に充填された低温のＬＮＧによって配管を冷却するとともに、立ち上がり管部における液ヘッドの加圧によって受入配管内のＬＮＧの沸騰を抑制し、さらに、水平管部において徐々にＬＮＧを蒸発させることにより、ガイザリングを生じさせることなく侵入熱を放出している。
【０００９】
また、強制循環冷却方式は、液体温度が飽和圧力における温度以下の液を大量に受入配管に循環させて、侵入熱を循環する冷却液に吸収させて系外に放出させ、受入配管の温度上昇を防止して冷却保持する方式である。
【先行技術文献】
【特許文献】
【００１０】
【特許文献１】実開平０６−３２９００公報
【発明の概要】
【発明が解決しようとする課題】
【００１１】
しかしながら、上記方法には次のような問題がある。すなわち、加圧注入冷却方式ではガイザリングの問題は生じにくいが、長期保存をすると重質化が生じてしまう。すると、品質管理のために受入配管内の液入れ替えをする必要が生じる。また、保存中にＬＮＧが蒸発しＢＯＧ（ボイルオフガス）が発生することは避けられず、蒸発分のＬＮＧが減少するため、配管冷却のための運転コストが課題となりやすい。また、強制循環冷却方式は、常時循環ポンプを駆動させるために、やはり運転コストが課題となりやすい。
【００１２】
そのため、上述のいずれの冷却方式を用いても、ＬＮＧの受け入れ間隔が長い場合（例えば、受け入れ頻度が１ヶ月に１回程度の場合）には、配管内にＬＮＧを貯留しておくための維持コストが課題となる。
【００１３】
本発明はこのような事情に鑑みてなされたものであって、ＬＮＧの受け入れ間隔が長い場合の維持管理コストを低廉化することができる配管設備を提供することを目的とする。
【課題を解決するための手段】
【００１４】
発明者は、配管内にＬＮＧを貯留して配管の冷却を続け、次回受入時の配管冷却の時間と手間とを省くという従来の考え方を、ＬＮＧの受入間隔が長い場合には採用する必要がない、という逆転の発想により本発明に至った。
【００１５】
すなわち、上記の課題を解決するため本発明の配管設備は、ＬＮＧを積載して輸送する輸送手段とＬＮＧを貯蔵する貯蔵タンクとを接続し、前記輸送手段から前記貯蔵タンクへＬＮＧを供給する配管設備であって、前記輸送手段から前記貯蔵タンクへＬＮＧを供給する受入配管と、前記受入配管から分岐し前記貯蔵タンクへ接続される液抜き配管と、前記液抜き配管に連通して設けられ、前記受入配管から前記貯蔵タンクへＬＮＧを送液するポンプと、を備えることを特徴とする。
この構成によれば、ＬＮＧの受け入れ間隔が長い場合に、受入配管内のＬＮＧを抜き取り貯蔵タンクへ送ることができる。そのため、受入配管内でＬＮＧを長期保留する際に生じ得る重質化の問題が発生せず、また、冷却状態維持のための運転コストが不要となるため、ＬＮＧの受け入れ間隔が長い場合の配管の維持管理コストを低廉化することが可能となる。
【００１６】
本発明においては、前記液抜き配管は、前記受入配管と接続する第１液抜き配管と、前記第１液抜き配管よりも細い内径を有し前記第１液抜き配管と連通する第２液抜き配管と、を有することが望ましい。
この構成によれば、第１液抜き配管をバッファとして用いることができるため、受入配管内のＬＮＧを全て抜き取った後、急激に液抜き配管内のＬＮＧが無くなることがなく、ポンプの破損を抑制することができる。
【００１７】
本発明においては、前記受入配管および前記第１液抜き配管におけるＬＮＧの液位を計測する液面計を有することが望ましい。
この構成によれば、液面計の計測結果からＬＮＧの液位を確認しながらＬＮＧ抜き取り操作を行うことができ、例えば、覗き窓から液位を目視確認しながらＬＮＧ抜き取り操作を行う場合よりも、ポンプ停止の判断を行い易く、抜き取り操作が容易となる。
【００１８】
本発明においては、前記ポンプの駆動を制御する制御装置を有し、前記制御装置は、前記液面計の計測結果に基づいて、ＬＮＧの液面が前記第１液抜き配管内に位置したときに、前記ポンプの運転を停止させることが望ましい。
この構成によれば、ポンプ停止が自動化されるため、安全で確実な抜き取り操作を実施することができる。
【００１９】
本発明においては、前記貯蔵タンクから前記受入配管内へＬＮＧを供給する供給配管を有することが望ましい。
この構成によれば、抜き取ったＬＮＧを受入配管へ供給することができ、ＬＮＧの受入に先だって受入配管内がＬＮＧで満たされた状態とすることができる。
【００２０】
本発明においては、前記供給配管は前記液抜き配管と接続し、前記供給配管と前記液抜き配管とが一部を共有していることが望ましい。
この構成によれば、受入配管から分岐する箇所が１箇所で済むため、受入配管に多くの加工をする必要がなく、装置構成が簡略化される。
【００２１】
本発明においては、前記受入配管は、水平方向に延在しＬＮＧを送液する主管を有し、前記供給配管は、前記主管の延在方向の中央部に接続されていることが望ましい。
ＬＮＧ供給の開始時には、受入配管は外部からの侵入熱によって暖められているため、低温のＬＮＧを供給すると低沸点成分が蒸発し、受入配管の冷却ガスとして受入配管内に広がることとなる。この構成によれば、受入配管と液抜き配管との接続箇所は、受入配管のうち水平方向に延在する主管の中央部であるため、冷却ガスが受入配管の中央から均等に広がり、効率的に冷却を行うことができる。
【００２２】
ここで、主管は陸上から海上にかけて配設されることがある。そのため「主管の中央部」とは、主管が全て陸上に配設されている場合には、主管の中央部に供給配管が接続され、主管の中央部が海上である場合には、陸上において最も主管の中央部に近い位置に供給配管が接続されていることを指している。
【００２３】
本発明においては、前記貯蔵タンクは、出荷するＬＮＧを払い出す払出配管を有し、前記供給配管は前記払出配管から分岐し、前記払出配管と前記供給配管とが一部を共有していることが望ましい。
この構成によれば、既存の設備を供給配管の一部として利用することで、装置構成が簡略化される。
【発明の効果】
【００２４】
この発明によれば、ＬＮＧの受け入れ間隔が長い場合に、受入配管内からＬＮＧを抜き取ることが可能となるため、受入配管を冷却し続けるための運転コストが不要となり、維持管理コストを低廉化することができる。
【図面の簡単な説明】
【００２５】
【図１】配管設備を用いたＬＮＧ船からのＬＮＧ受け入れの様子を示す模式図である。
【図２】本実施形態の配管設備についての説明図である。
【発明を実施するための形態】
【００２６】
以下、図１，２を参照しながら、本発明の実施形態に係る配管設備について説明する。なお、以下の図面においては、図面を見やすくするため、各構成要素の寸法や比率などは適宜異ならせてある。
【００２７】
図１は、配管設備１を用いたＬＮＧ船からのＬＮＧ受け入れの様子を示す模式図である。ＬＮＧ船Ｓが桟橋Ｊ近くに係留されると、桟橋Ｊに設けられた第１ローディングアーム１１０および第２ローディングアーム９１０がＬＮＧ船Ｓに接続される。ＬＮＧ船Ｓによって輸送されてきたＬＮＧは、第１ローディングアーム１１０及び受入配管１０を介して貯蔵タンクＴに送られる。このとき、ＬＮＧ船ＳのＬＮＧタンクを負圧にしない為、貯蔵タンクＴ内において外部入熱により発生するボイルオフガス（ＢＯＧ）を、リターン配管９０及び第２ローディングアーム９１０を介してＬＮＧ船Ｓへと送り返す操作（リターンガス）を行っている。
【００２８】
本実施形態の配管設備１では、符号ＡＲで示した受入配管１０の中央部に設けられた液抜き配管（後述）から、受入配管１０内のＬＮＧを抜き取り可能な構成となっている。液抜き配管の取り付け箇所は、概ね受入配管１０の中央部付近が好ましく、ＬＮＧ基地の配置により受入配管１０の中央部が符号Ｍで示す海上に位置する場合には、符号Ｌで示す陸上で受入配管１０の中央部に近い箇所から分岐を行うことが好ましい。
【００２９】
図２は本実施形態の配管設備１についての説明図である。配管設備１は、ＬＮＧ船と貯蔵タンクＴとを接続し、ＬＮＧ船から供給されるＬＮＧが内部を流れる受入配管１０と、受入配管１０から分岐し貯蔵タンクＴに接続される液抜き配管２０と、液抜き配管２０の経路に配置された送液ポンプ（ポンプ）３０と、を有している。このような構成を有する配管設備１では、受入配管１０内のＬＮＧを、必要に応じて液抜き配管２０を介して抜き取ることが可能となっている。
【００３０】
受入配管１０は、ＬＮＧ船と接続される主管１１と、主管１１から分岐し貯蔵タンクＴに接続する立ち上がり配管１２とを有している。主管１１の長さは、設置するＬＮＧ基地の構成によるが、１０００ｍにも及ぶことがある。また、主管１１からは複数の立ち上がり配管１２が分岐し、不図示の複数の貯蔵タンクＴと接続している。貯蔵タンクＴの頂部には、貯蔵タンクＴで発生するＢＯＧを放出する配管１３が設置されており、ＢＯＧを燃料用途などに利用可能となっている。
【００３１】
液抜き配管２０は、受入配管１０において主管１１の地面側から分岐している。液抜き配管２０は主管１１に接続する第１液抜き配管２１と、第１液抜き配管２１と連通し貯蔵タンクＴと接続する第２液抜き配管２２と、を有しており、第２液抜き配管２２に送液ポンプ３０が接続されている。
【００３２】
第１液抜き配管２１は、主管１１の分岐箇所から、例えば鉛直下方に２ｍ延在して設置される。第１液抜き配管２１の内径は、第２液抜き配管２２の内径よりも大きくなっており、ＬＮＧ抜き取り時におけるバッファとして用いることができる。すなわち、受入配管１０内のＬＮＧを全て抜き取った後には、バッファとして用いる第１液抜き配管２１内のＬＮＧを徐々に抜き出すこととなるため、急激に液抜き配管２０内のＬＮＧが無くなることがない。したがって、送液ポンプ３０を空運転するおそれがなく、送液ポンプ３０の破損を抑制することができる。
【００３３】
第２液抜き配管２２には、第１液抜き配管２１と送液ポンプ３０との間の経路中に複数のバルブ２３，２４やストレーナ２５が設けられており、送液ポンプ３０と貯蔵タンクＴとの間の経路中にはバルブ２６が設けられている。また、バルブ２４をまたいでバイパス配管２７が設けられている。バイパス配管２７にはオリフィスが挿入されており、ＬＮＧを少量ずつ送液ポンプ３０の方へ流すことで、常に送液ポンプ３０を冷却している。さらに、バルブ２３とバルブ２４との間には、後述する供給配管４５が接続されている。
【００３４】
送液ポンプ３０は、第１液抜き配管２１に設けられた液面計５０の計測結果に基づいて、制御装置６０により運転制御されている。もちろん、制御装置６０を設けずに、液面計５０の計測結果に基づいて、作業者が送液ポンプ３０の停止操作を行うこととしても良い。
【００３５】
払出配管４０は、貯蔵タンクＴに貯留するＬＮＧを燃料目的や販売目的のために出荷する際の払い出しのために設けられており、バルブ４１やポンプ４２を用いて送液を制御している。また、払出配管４０からは供給配管４５が分岐しており、第２液抜き配管２２のバルブ２３，２４の間に接続している。第２液抜き配管２２への接続箇所の直前には、バルブ４３，４４が設けられている。また、払出配管４０において、払出配管４０と供給配管４５との接続箇所よりも下流側には、バルブ４６が設けられている。
【００３６】
このような構成の配管設備１では、ＬＮＧの受け入れ間隔が長い場合に、受入配管内からＬＮＧを抜き取ることが可能となる。具体的には、ＬＮＧ受入が終了すると、バルブ４４を閉じるとともに、バルブ２３，２４，２６を開き、送液ポンプ３０を起動してＬＮＧ抜き取りを開始する。そして、液面計５０が受入配管１０および第１液抜き配管２１内のＬＮＧの液位を計測し、ＬＮＧの液面が第１液抜き配管２１内に位置することを検出すると、制御装置６０は、受入配管１０内のＬＮＧの抜き取りが終了したものとして、送液ポンプ３０を停止する。
【００３７】
また、貯蔵タンクＴへのＬＮＧ受入作業が近づくと、受入配管１０内へのＬＮＧ供給を行う。具体的には、バルブ２４およびバルブ４６を閉じるとともに、バルブ２３，４１，４３，４４を開き、ポンプ４２を起動してＬＮＧ供給を開始する。ＬＮＧ供給の開始時には、受入配管１０は外部からの侵入熱によって暖められているため、低温のＬＮＧを供給するとＬＮＧが蒸発し、受入配管１０の冷却ガスとして受入配管１０内に広がる。このとき、受入配管１０と液抜き配管２０との接続箇所は、主管１１の中央部であるため、冷却ガスが均等に広がり、効率的に冷却を行うことができる。受入配管１０内へのＬＮＧの供給は、例えば、液面計５０を用いてＬＮＧの液位を確認し、主管１１内にＬＮＧが満ちたことを確認して停止する。または、ＬＮＧの液位が立ち上がり配管１２内に達したことを確認して停止しても良い。
【００３８】
以上のような構成の配管設備１によれば、ＬＮＧの受け入れ間隔が長い場合に、受入配管１０内からＬＮＧを抜き取ることが可能となるため、受入配管１０を冷却し続けるための運転コストが不要となり、維持管理コストを低廉化することができる。
【００３９】
なお、本実施形態の配管設備１では、第１液抜き配管２１が主管１１に直接接続している構成としたが、これに限らず、第１液抜き配管２１と主管１１との間に他の配管を挟む構成であっても良い。
【００４０】
また、本実施形態の配管設備１では、供給配管４５が液抜き配管２０に接続され、主管１１からの分岐箇所を１箇所にまとめる構成を採用しているが、主管１１から液抜き配管２０が分岐する箇所と、主管１１に供給配管４５が接続する箇所とが異なる構成としても良い。
【００４１】
また、供給配管４５は貯蔵タンクＴと接続され、貯蔵タンクＴ内に貯蔵されているＬＮＧを受入配管１０内に供給する構成としているが、ＬＮＧの供給源はこれに限らない。
【００４２】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００４３】
１…配管設備、１０…受入配管、２０…液抜き配管、２１…第１液抜き配管、２２…第２液抜き配管、３０…送液ポンプ（ポンプ）、４０…払出配管、４５…供給配管、５０…液面計、６０…制御装置、Ｓ…ＬＮＧ船（輸送手段）、Ｔ…貯蔵タンク、
【図１】
0005482218.tif 000002
【図２】
0005482218.tif 000003